(57)【要約】【課題】枠体が傍に無くても例えばバケツなどの便座の開口部とほぼ同じ大きさの開口部を上端に備えた容器があれば簡単に装着でき、また断水時における洋式トイレの便座にも簡単に装着できて使用可能な簡易トイレ用屎尿排泄袋を提供する。【解決手段】合成樹脂からなる２枚のシート部２ａ，２ａを重ねた状態にしてそのシート部２ａ，２ａの前後両端部および下端が閉じられた袋本体２の上端近傍において、一方のシート部２ａの外面に表面が離型テープ３で覆われた両面粘着テープ４が前後方向全長に亘って貼り付けられており、この両面粘着テープ４の装着位置よりも上部の袋本体２の２枚のシート部２ａ，２ａの上端に前後両端部で縁が切れた延設シート部５，５が設けられており、延設シート部５，５の上端外面に表面が離型テープ６で覆われた両面粘着テープ７が前後方向全長に亘って貼り付けられている。【選択図】    図１
2006288669.tif 000002
【特許請求の範囲】
【請求項１】
合成樹脂からなる２枚のシート部を重ねた状態にしてそのシート部の前後両端部および下端が閉じられた袋本体の上端近傍において、一方のシート部の外面に粘着部が設けられ、この粘着部の配設位置よりも上部の袋本体の２枚のシート部の上端に前後両端部で縁が切れた延設シート部が設けられており、延設シート部の上端外面に粘着部が設けられていることを特徴とする簡易トイレ用屎尿排泄袋。
【発明の詳細な説明】
【技術分野】
【０００１】
本発明は、非常時用として便利な簡易トイレ用屎尿排泄袋に関するものである。
【背景技術】
【０００２】
従来の簡易トイレとして例えば特許文献１に開示されているような、折り畳み可能な枠体と、この枠体の四隅に着脱自在に取り付けられて該枠体を折り畳み状態から広げた状態に保持及び補強する補強部材と、排泄物を受ける袋体と、この袋体を前記枠体内に着脱自在に固定するとともに便座をも構成する固定部材とからなり、前記袋体が屎尿受け部となる簡易トイレが知られている。
【特許文献１】特開平８−２２４１９０号公報
【発明の開示】
【発明が解決しようとする課題】
【０００３】
上記特許文献１に記載の簡易トイレの構成では、屎尿受け部となる袋体をセットするための枠体が必要であり、袋体があっても枠体が傍に無いと用を足すことができないという問題があった。
【０００４】
本発明の目的は、このような課題を解決するものであり、枠体が傍に無くても例えばバケツなどの便座の開口部とほぼ同じ大きさの開口部を上端に備えた容器があれば簡単に装着でき、また断水時における洋式トイレの便座にも簡単に装着できて使用可能な簡易トイレ用屎尿排泄袋を提供することにある。
【課題を解決するための手段】
【０００５】
本発明の請求項１に記載の簡易トイレ用屎尿排泄袋は、合成樹脂からなる２枚のシート部を重ねた状態にしてそのシート部の前後両端部および下端が閉じられた袋本体の上端近傍において、一方のシート部の外面に粘着部が設けられ、この粘着部の配設位置よりも上部の袋本体の２枚のシート部の上端に前後両端部で縁が切れた延設シート部が設けられており、延設シート部の上端外面に粘着部が設けられていることを特徴とする。
【発明の効果】
【０００６】
以上のように、本発明の簡易トイレ用屎尿排泄袋は、枠体が傍に無くても例えばバケツなどの便座の開口部とほぼ同じ大きさの開口部を上端に備えた容器があればその容器の中に袋本体を収めた状態で延設シート部を左右に開き、延設シート部でバケツの上端を巻き込むように覆い、延設シート部の上端外面の粘着部を容器の周面に接着させることにより容器に腰を掛けて用を足すことができる。用を足した後は、延設シート部を容器から剥し、延設シート部を互いに重ねた状態で前記一方のシート部の外面の粘着部に向かって丸めながら屎尿排泄袋を小さくし、前記一方のシート部の外面の粘着部に丸められた延設シート部を貼り付けた状態で屎尿排泄袋を廃棄することができる。さらに、本発明の簡易トイレ用屎尿排泄袋は断水時における洋式トイレの便座にも簡単に装着できるものである。
【発明を実施するための最良の形態】
【０００７】
以下、本発明の一実施の形態を、図１〜図６を用いて具体的に説明する。
図において、１は屎尿排泄袋で、この屎尿排泄袋１は１枚の合成樹脂製シートを下端で折り曲げて形成された２枚のシート部２ａ，２ａを重ねた状態にしてそのシート部２ａ，２ａの前後両端部が溶断シールされて閉じられた袋本体２の上端近傍において、一方のシート部２ａの外面に表面が離型テープ３で覆われた両面粘着テープ４が前後方向全長に亘って貼り付けられている。そして、この両面粘着テープ４の装着位置よりも上部の袋本体２の２枚のシート部２ａ，２ａの上端に延設シート部５，５が設けられている。この延設シート部５，５の上端外面にも表面が離型テープ６で覆われた両面粘着テープ７が前後方向全長に亘って貼り付けられている。なお、前記延設シート部５，５は前後両端部で縁が切れており、繋がっていない。
【０００８】
この屎尿排泄袋１は便座の開口部とほぼ同じ大きさの開口部を上端に備えた容器として例えばバケツ８の中にセットされるのであるが、そのとき袋本体２をバケツ８の中に収めた状態で前記延設シート部５，５の上端外面の離型テープ６を剥して両面粘着テープ７を露出するとともに延設シート部５，５を左右に開き、延設シート部５，５でバケツ８の上端を巻き込むように覆い、前記露出している両面粘着テープ７をバケツ８の周面に接着させる。
【０００９】
以上のようにして屎尿排泄袋１をバケツ８に装着した状態でバケツ８に腰を掛けて用を足すことができ、用を足した後は、袋本体２の排泄物の上から凝固剤を振り掛けると排泄物が短時間で凝固し、その後延設シート部５，５をバケツ８から剥し、延設シート部５，５を互いに重ねた状態で前記一方のシート部２ａの外面の両面粘着テープ４に向かって丸めながら屎尿排泄袋１を小さくし、離型テープ３が剥された両面粘着テープ４に丸められた延設シート部５，５を貼り付けた状態で屎尿排泄袋１を廃棄するものである。
【００１０】
なお、前記両面粘着テープ４や７を設ける代わりに粘着剤を塗布して粘着部を形成することも可能である。
ところで、以上述べた実施の形態で述べた屎尿排泄袋１を装着するために、便座の開口部とほぼ同じ大きさの開口部を上端に備えた容器としてバケツ８の代わりに上端の口が大き目のごみ箱などを用いることも可能である。また、前記屎尿排泄袋１は上記したバケツ８に装着するのと同じ要領で洋式トイレの便座にも簡単に装着でき、断水時において使用すると便利である。
【図面の簡単な説明】
【００１１】
【図１】本発明の一実施の形態における屎尿排泄袋の斜視図である。
【図２】同屎尿排泄袋の断面図である。
【図３】同屎尿排泄袋をバケツにセットする途中の状態を示す斜視図である。
【図４】同屎尿排泄袋をバケツにセットした状態を示す斜視図である。
【図５】同屎尿排泄袋の口を閉じる状態を示す斜視図である。
【図６】同屎尿排泄袋の口を閉じた状態を示す斜視図である。
【符号の説明】
【００１２】
１      屎尿排泄袋
２ａ    シート部
２      袋本体
３      離型テープ
４      両面粘着テープ
５      延設シート部
６      離型テープ
７      両面粘着テープ
８      バケツ
【図１】
2006288669.tif 000003
【図２】
2006288669.tif 000004
【図３】
2006288669.tif 000005
【図４】
2006288669.tif 000006
【図５】
2006288669.tif 000007
【図６】
2006288669.tif 000008